(57)【特許請求の範囲】
【請求項１】
遊技盤に形成された遊技領域にセンター役物が設けられており、このセンター役物よりも右側に遊技球を流下させることが可能な遊技機であって、
前記遊技領域には、少なくともカバー部材を有する第１の入賞装置及び第２の入賞装置が設けられており、
前記第１の入賞装置は、
該第１の入賞装置に設けられた第１の入賞口に前記遊技球を受け入れやすくする開位置と、前記遊技球を受け入れなくする閉位置との間で前後方向にスライド移動する開閉部材と、
前記開閉部材が前記閉位置に位置する時は、該開閉部材上を第２の入賞口へ向けて前記遊技球が転動可能な転動路とを備え、
前記カバー部材は、
前記第１の入賞装置が受け入れた前記遊技球を前記第１の入賞装置に形成された誘導孔へ誘導するための誘導路と、
前記カバー部材の裏面から、前記誘導路に向けて突出形成され、前記誘導路に向けて前記誘導路内を転動する前記遊技球を前記誘導孔へ向けて誘導しやすくする誘導部とを備え、
前記カバー部材の裏面には前記誘導路の前面が形成されており、
前記第１の入賞口が該第２の入賞装置に設けられた第２の入賞口よりも上に位置するように配置されていることを特徴とする遊技機。
【請求項２】
前記誘導部は、前記誘導路を転動する遊技球を前記誘導孔の後方へ誘導しやすくするように突出形成されている請求項１記載の遊技機。
【請求項３】
前記誘導部は、前記誘導路の上流側よりも下流側の突出高さが高くなるように前記誘導路に向けて突出形成されている請求項１又は２記載の遊技機。
【発明の詳細な説明】
【技術分野】
【０００１】
本発明は、遊技盤に形成された遊技領域に始動入賞装置や大入賞装置を設けた遊技機に関する。
【背景技術】
【０００２】
従来から、遊技機の一つとしてパチンコ機が知られている。パチンコ機は、遊技盤に形成した遊技領域に図柄表示装置を有するセンター役物、始動入賞口を有する始動入賞装置、大入賞口を有する大入賞装置等が配置されている。また、遊技領域には、流下する遊技球を誘導するための多数の誘導釘が打たれている。
【０００３】
また、遊技機の中には、遊技領域においてセンター役物の右側の領域に遊技球を流下させる「右打ち」と呼ばれる方法で遊技を行うものも存在する。右打ちの遊技を行う遊技機の場合には、例えば大入賞口を遊技領域の右側に配置したりしたものも存在する（例えば、特許文献１）
【０００４】
センター役物は、遊技領域のほぼ中央に配置されていることが多い。また、図柄表示装置は、数字や絵柄から構成される各種図柄を表示するためのもので、一般的な遊技機の場合には、図柄表示装置に縦３個、横３個の合計９個の図柄を表示させているものが多く存在する。また、近年の遊技機では、図柄表示装置にアニメーションや動画を表示するものも存在する。
【０００５】
遊技機は、遊技領域に遊技球を流下させることで遊技が行われる。遊技領域を流下する遊技球が始動入賞口に入賞すると、遊技機では、遊技者にとって有利な状態（以下、大当たり状態という。）での遊技を開始するか否かの抽選が行われ、それと同時に図柄表示装置にてアニメーションを表示させたり、又は図柄を所定時間変動表示させ、その後に先の抽選の結果に対応する図柄を停止表示させるといった変動表示ゲームが行われる。この抽選に当選すると、変動表示装置では当たりに対応した図柄（例えば「７−７−７」）を停止表示させて、大当たり状態での遊技が開始される旨を遊技者に報知する。そして、大入賞口を開放して流下する遊技球を入賞しやすい状態にし、入賞した遊技球の数に対応した数の賞品球を払い出す。
【０００６】
遊技者は、遊技球が始動入賞口に入賞する前は、遊技領域を流下する遊技球の動きに着目して遊技を行い、遊技球が始動入賞口に入賞した場合には、大当たり状態での遊技に移行するか否かに着目して遊技を行う。特に、遊技者は、始動入賞口に遊技球が入賞した後は、大当たり状態での遊技に移行するかもしれないという大きな期待感を持ちながら、図柄表示装置を視認しつつ遊技を進めることが多い。そのため、図柄表示装置による各種変動表示の態様や、図柄表示装置を有するセンター役物全体の発光態様等を変化させるような演出を行うことによって、遊技者に対して期待感を増大させたり、また遊技者の遊技に対する興趣を大幅に向上させることができる。
【先行技術文献】
【特許文献】
【０００７】
【特許文献１】特開２００８−１２１８５号公報
【発明の概要】
【発明が解決しようとする課題】
【０００８】
近年は、より多様な演出を行うためにセンター役物が大型化する傾向にある。また、遊技領域には、センター役物だけではなく、始動入賞装置や大入賞装置といった各種入賞装置が配置される。そのため、遊技領域において、センター役物が占める範囲が広がる傾向にあり、配置されたセンター役物の周囲に始動入賞装置や大入賞装置などが配置されている。そのため、近年の遊技機は、遊技領域において遊技釘を打つことができる範囲が非常に狭くなる傾向にあり、遊技球の流下する態様が単調なものになってしまうという問題があった。上記した通り、遊技者は、始動入賞口に遊技球が入賞するまでの間の遊技において遊技球の動きに着目することが多く、このときの遊技球の動きが単調になってしまうと、センター役物での演出が行われる前に遊技に飽きてしまい、積極的に遊技に参加させることが困難になるという問題があった。
【０００９】
本発明は、このような問題点に鑑みてなされたもので、遊技が単調にならず、かつ遊技者の興趣をより向上させることが可能な遊技機を提供することを目的とする。
【課題を解決するための手段】
【００１０】
本発明は、
（１）遊技盤に形成された遊技領域にセンター役物が設けられており、このセンター役物よりも右側に遊技球を流下させることが可能な遊技機であって、前記遊技領域には、少なくともカバー部材を有する第１の入賞装置及び第２の入賞装置が設けられており、前記第１の入賞装置は、該第１の入賞装置に設けられた第１の入賞口に前記遊技球を受け入れやすくする開位置と、前記遊技球を受け入れなくする閉位置との間で前後方向にスライド移動する開閉部材と、前記開閉部材が前記閉位置に位置する時は、該開閉部材上を第２の入賞口へ向けて前記遊技球が転動可能な転動路とを備え、前記カバー部材は、前記第１の入賞装置が受け入れた前記遊技球を前記第１の入賞装置に形成された誘導孔へ誘導するための誘導路と、前記カバー部材の裏面から、前記誘導路に向けて突出形成され、前記誘導路に向けて前記誘導路内を転動する前記遊技球を前記誘導孔へ向けて誘導しやすくする誘導部とを備え、前記カバー部材の裏面には前記誘導路の前面が形成されており、前記第１の入賞口が該第２の入賞装置に設けられた第２の入賞口よりも上に位置するように配置されていることを特徴とする遊技機、
（２）前記誘導部は、前記誘導路を転動する遊技球を前記誘導孔の後方へ誘導しやすくするように突出形成されている上記（１）記載の遊技機、
（３）前記誘導部は、前記誘導路の上流側よりも下流側の突出高さが高くなるように前記誘導路に向けて突出形成されている上記（１）又は（２）記載の遊技機を要旨とする。
【発明の効果】
【００１１】
本発明の遊技機によれば、少なくともカバー部材を有する第１の入賞装置及び第２の入賞装置が設けられており、前記第１の入賞装置は、該第１の入賞装置に設けられた第１の入賞口に前記遊技球を受け入れやすくする開位置と、前記遊技球を受け入れなくする閉位置との間で前後方向にスライド移動する開閉部材と、前記開閉部材が前記閉位置に位置する時は、該開閉部材上を第２の入賞口へ向けて前記遊技球が転動可能な転動路とを備え、前記カバー部材は、前記第１の入賞装置が受け入れた前記遊技球を前記第１の入賞装置に形成された誘導孔へ誘導するための誘導路と、前記カバー部材の裏面から、前記誘導路に向けて突出形成され、前記誘導路に向けて前記誘導路内を転動する前記遊技球を前記誘導孔へ向けて誘導しやすくする誘導部とを備え、前記カバー部材の裏面には前記誘導路の前面が形成されたので、遊技釘を打てる本数が限られた狭い範囲においても、少ない本数の遊技釘によって、遊技球の動きに変化を持たせることができる。したがって、遊技者は、遊技球の動きを楽しみながら遊技に取り組むことができ、遊技者の興趣や期待感をより向上させることが可能になる。また、本発明の遊技機によれば、第１の入賞装置は、第２の入賞装置と隣接し、かつ、前記第１の入賞口が該第２の入賞装置に設けられた第２の入賞口よりも上に位置するように配置されているので、第１の入賞装置に形成されている転動路を転動する遊技球が第２の入賞装置に入賞する確率を向上させることができ、遊技者の興趣、及び入賞に対する期待感をさらにより向上させることが可能になる。
【図面の簡単な説明】
【００１２】
【図１】本発明の実施の形態に係る遊技機の正面図である。
【図２】遊技機を構成する遊技盤の外観斜視図である。
【図３】遊技盤に配置されたセンター役物の外観斜視図である。
【図４】装飾枠にリブが形成されている部分を表した拡大図であり、（ａ）図は、正面側からリブが形成されている部分を見た場合の拡大図、（ｂ）は、リブが形成されている箇所を上から見た場合の図である。
【図５】遊技盤を側面から見た側面図である。
【図６】第２の大入賞装置の構成を表した外観斜視図であり、（ａ）図は、第２大入賞口が閉じた状態を表した図、（ｂ）図は、第２大入賞口が開いた状態を表した図である。
【図７】第２の大入賞装置の基板と、基板に取り付けられる各部材の一部を表した分解斜視図である。
【図８】第２の大入賞装置の構成を表した分解斜視図である。
【図９】（ａ）図は、第１作動部材にソレノイドが取り付けられる前の状態を表す図であり、（ｂ）図は、第１作動部材にソレノイドが組み付けられた状態であって、第２作動部材との関係を表した図である。
【図１０】第２の作動部材の外観構成を表した外観斜視図であり（ａ）図は、正面側から見た場合の外観斜視図、（ｂ）図は、後面側から見た場合の外観斜視図である。
【図１１】第２の大入賞装置が閉状態にある場合の第１作動部材と第２作動部材との関係を表した図であり、（ａ）図は、第１ロック部と第２ロック部との位置関係を表した図、（ｂ）図は、第３ロック部とワッシャー部材との位置関係を表した図、（ｃ）図は、第１作動部材と第２作動部材を正面から場合であって、ロックピンとワッシャー部材との位置関係を表した図である。
【図１２】第２の大入賞装置が閉状態から開状態へと動作している場合の第１作動部材と第２作動部材との関係を表した図であり、（ａ）図は、第１ロック部と第２ロック部との位置関係を表した図、（ｂ）図は、第３ロック部とワッシャー部材との位置関係を表した図、（ｃ）図は、第１作動部材と第２作動部材を正面から場合であって、ロックピンとワッシャー部材との位置関係を表した図である。
【図１３】第２の大入賞装置が開状態にある場合の第１作動部材と第２作動部材との関係を表した図であり、（ａ）図は、第１ロック部と第２ロック部との位置関係を表した図、（ｂ）図は、第３ロック部とワッシャー部材との位置関係を表した図、（ｃ）図は、第１作動部材と第２作動部材を正面から場合であって、ロックピンとワッシャー部材との位置関係を表した図である。
【図１４】遊技盤において第２の大入賞装置が設置されている箇所の部分拡大図である。
【発明を実施するための形態】
【００１３】
本発明に係る遊技機の実施の形態について、図面を用いて具体的に説明する。なお、本明細書では、遊技機及び遊技機を構成する各部の構成について説明した後に、遊技機を構成する遊技盤における各種装置の配置について説明し、その後、本発明に係る遊技機の作用効果について説明する。
【００１４】
また、本実施の形態では、本発明に係る遊技機の一例としてパチンコ遊技機を用いて説明するが、本発明はパチンコ遊技機以外の遊技機にも適用することが可能である。また、本明細書においては、パチンコ遊技機（以下、単に「遊技機」と言う。）及び遊技機を構成する各部材の「前側」、「後側」は、遊技機を正面から見た場合における正面側（前面側）、裏面側（後面側）を示すものとし、遊技機を遊技機及び遊技機を構成する各部材に関して「上側」、「下側」、「左側」及び「右側」は、図１に示すように遊技機を正面から見た場合における上側、下側、左側及び右側を示すものとする。また、本明細書においては、遊技球が各種入賞口に流入することを「入賞」と言い、遊技球が入賞することによって遊技者に払い出される遊技球のことを「賞球」と言う。
【００１５】
まず、遊技機の外観構成について図１に基づいて説明する。図１に示すように、遊技機１は、機体の外郭を構成する縦長方形の外枠２を備えている。この外枠２の開口前面側には、縦長方形の中枠３が着脱自在に組み付けられている。中枠３は、全体的に合成樹脂材料を用いて成形されており、内部に遊技盤１２等を取付固定することができるように構成されている。前枠４は、中枠３の前面側に、該前枠４の左側に設けられたヒンジを中心に中枠３に対して横開きをすることができるように開閉自在に組み付けられている。前枠４は、ガラス板５を備えており、遊技者が遊技盤１２を視認することができ、かつ遊技盤１２を保護することができるように構成されている。また、前枠４は、遊技に使用する遊技球２００を一時的に貯留する上受け皿６と、上受け皿６から溢れ出て流下した遊技球２００を貯留する下受け皿７をガラス板５の下方に備えている。遊技機１は、内部に遊技球２００を遊技盤１２に向けて弾発するための発射装置を備えており、この発射装置における弾発強さを操作ハンドル８の回動量によって調節することができるように構成されている。発射装置は、該発射装置で弾発された遊技球を後述するセンター役物よりも右側へ流下させることが可能な強さで、該遊技球を弾発することができるように構成されている。また、上受け皿６には、遊技球２００を貯留する貯留スペースの前側に、遊技者が遊技中に押圧操作する各種ボタン９ａ、９ｂ、９ｃが配置されている。なお、図１中の符号１０、１１は、音声を出力するためのスピーカである。
【００１６】
次に、遊技盤１２の構成、及び遊技盤１２に配置された各部の構成について、図２〜図１０に基づいて説明する。図２に示すように、遊技盤１２は、アクリルやポリカーボネート等の合成樹脂材料にて形成された略正方形の平板状の部材である。遊技盤１２の前面には、外レール１３と内レール１４が半円弧状に配設されており、外レール１３の外側にはコーナー飾り１５が設けられている。これら外レール１３と内レール１４とは、前後方向に所定の厚さを有する部材で形成されている。
【００１７】
外レール１３は、遊技盤１２の中央よりも左側の下部から遊技盤１２の上部を経て該遊技盤１２の中央よりも右側の上部まで、円弧を描くように形成されており、内レール１４は、遊技盤１２の中央よりも左側の下部から左側の上部まで、円弧を描くように形成されている。また、内レール１４は、遊技盤１２の盤面上においては外レール１３と対向するように配置されている。
【００１８】
外レール１３と内レール１４は、これら外レール１３と内レール１４との間を遊技球２００が通過することが可能な間隔を有する案内路１６が形成されるように配置されている。この案内路１６は、発射装置にて弾発された遊技球２００が通過する際に通る経路である。案内路１６を通過した遊技球２００が流下する遊技領域１７は、遊技盤１２において、外レール１３の内側（外レール１３と内レール１４とが対向配置されている箇所においては、内レール１４の内側）に形成されており、遊技球２００は、この案内路１６を通過した後に、遊技領域１７の上部から下部へ向けて流下するようになっている。
【００１９】
コーナー飾り１５は、外レール１３の外側の領域に設けられている。このコーナー飾り１５は、不透明な合成樹脂材料によって形成されており、外レール１３よりも外側の領域を前面から覆うように構成されている。なお、このコーナー飾り１５が設けられている部分は、その前側に位置する前枠４によって覆われ、コーナー飾り１５を視認することが出来ないようになっている。また、コーナー飾り１５は、外レール１３と同程度の前後方向の厚みを有するように形成されており、中央部よりも右側において外レール１３が設けられていない箇所では、外レール１３に代わってコーナー飾り１５の内側の側面が遊技領域１７に露出し、遊技球２００が通過する際の案内面となるように構成されている。
【００２０】
遊技領域１７には、通常入賞装置１８、始動入賞装置１９、第１の大入賞装置２０、センター役物２１、及び第２の大入賞装置２２等が設けられている。また、遊技領域１７には、図示しない多数の誘導釘が打たれている。遊技領域１７を流下する遊技球２００は、誘導釘に当たって流下方向を変化させながら、遊技領域１７の上部から下部に向かって流下する。ほとんどの遊技球２００は、遊技領域１７の最下部に設けられたアウト口２３に流入し、これ以外の遊技球２００は、始動入賞装置１９等に設けられた各種入賞口に入賞するようになっている。
【００２１】
通常入賞装置１８は通常入賞口２４を有している。通常入賞口２４は、上方に向けて、遊技領域１７を流下する遊技球２００が入賞可能な大きさに開口形成されている。遊技機１は、この通常入賞口２４へ遊技球２００が入賞すると、所定数（例えば１５個）の賞球を払い出すように構成されている。
【００２２】
始動入賞装置１９は、センター役物２１の下方に配置されている。この始動入賞装置１９は、上方に向けて開口形成され、遊技球の入賞によって遊技者に有利な大当たり状態で遊技を行う契機を付与する第１始動入賞口２５と、該第１始動入賞口２５よりも下方にて開口形成され、遊技球の入賞によって、第１始動入賞口２５に入賞した場合よりも遊技者に有利な大当たり状態で遊技を行う契機を付与する第２始動入賞口２６とを有している。また、始動入賞装置１９は、該第２始動入賞口２６を開閉する開閉羽根２７を有している。開閉羽根２７は、左右一対の羽根状の部材によって形成されており、通常は第２始動入賞口２６を閉じる閉状態を維持し、後述する通過入賞口５６を遊技球２００が通過した時に第２始動入賞口２６を開放する開状態となるように構成されている。なお、第２始動入賞口２６の開放パターンとしては、所定時間（例えば３０秒）だけ常に開放されているものや、所定時間ごと（例えば１秒ごと）に開閉を繰り返し、この開閉動作を所定時間（例えば３０秒）の間繰り返し行うというものがあるが、これ以外のパターンでもよい。
【００２３】
センター役物２１は、遊技領域１７の略中央に設けられている。このセンター役物２１は、図柄表示装置、装飾枠３１、鍔部３２、装飾部材３３を備えている。なお、図２及び図３においては、説明の便宜上、図柄表示装置を取り外した状態のものを表している。また、センター役物２１は、これら以外にもワープ通路３４及び誘導路３５を備えている。図柄表示装置は、遊技機１における視覚的な演出を行うためのもので、これには、例えば液晶パネル等の従来から公知の表示装置を任意に選択して使用することができる。この図柄表示装置は、遊技機１の状況に応じて種々の画像や動画、アニメーション等を表示することができるように構成されている。例えば、図柄表示装置では、通常は、縦に３つ並んだ数字の列を３列だけ停止表示し、そのほかに画像やアニメーション等を表示させておいて、第１始動入賞口２５又は第２始動入賞口２６に遊技球２００が入賞すると、遊技機１の内部で行われる抽選に併せて各列の数字を変動表示させ、所定時間経過後に再び各列の数字を停止表示させる、というような表示が行われる。遊技機１では、この変動表示から停止表示に移行した際の数字の並び方によって、上記した抽選に当選したか否かが遊技者に知らされるようになっている。
【００２４】
図柄表示装置は、センター役物２１の図柄表示装置設置領域３６に設置される。図柄表示装置設置領域３６は、センター役物２１内で開口形成されている領域である。この領域内に相当する遊技盤１２の領域も同様に開口形成されており、遊技盤１２にセンター役物２１を取り付けた時は、図柄表示装置設置領域３６として開口形成された部分が遊技盤１２の前後を貫通している。図柄表示装置は、この図柄表示装置設置領域３６に、遊技盤１２の前側又は後側のいずれかから挿入されて、最終的にセンター役物２１に取付固定される。
【００２５】
装飾枠３１は、図柄表示装置の周囲を取り囲むように形成された枠状の部材である。図３に示すように、装飾枠３１は、左側にワープ通路３４が形成されると共に、下部には、ワープ通路３４から出てきた遊技球２００を誘導する誘導面３７が装飾枠３１の中央部に向けて下り傾斜するように形成されている。また、装飾枠３１の下側の中央部には、左側から右側に向けて誘導面３７上を転動してきた遊技球２００の速度を減少させるとともに遊技球２００の移動方向を左右方向から前後方向に変える誘導溝３８が形成されている。この誘導溝３８は、後側から前側へ行くにつれて溝の幅が大きくなるように形成されており、誘導面３７上を左右方向に誘導される遊技球２００を前方向へ移動しやすくするようになっている。なお、この誘導溝３８の下方には第１始動入賞口２５が配置されており、誘導溝３８に案内されて前方向に転動する遊技球２００は、第１始動入賞口２５に入賞しやすくなるように構成されている。
【００２６】
装飾枠３１の外周側面は、流下する遊技球２００を案内するための案内面ともなっている。具体的には、中央よりも左側に形成された外周側面には、流下する遊技球２００を遊技領域１７の左側に案内する案内面３１ａが左側に下り傾斜する方向へ形成されている。また、装飾枠３１の略中央の外周側面は水平面として形成され、装飾枠３１の中央よりも右側に形成された外周側面には、流下する遊技球２００を遊技領域１７の右側へ案内する案内面３１ｂが右側に下り傾斜する方向へ形成されている。中央から右側に形成された案内面３１ｂは、中央から曲線を描くようにして右下へ緩やかに下り傾斜する傾斜面３１ｃと、この傾斜面の右下端部から垂直に下向きに延びる垂直面３１ｄと、この垂直面の下端部から曲線を描くように右下へ下り傾斜し、水力方向と平行になった後は左下向きに下り傾斜する傾斜面３１ｅとから構成されており、垂直面３１ｄが形成されている部分から下流方向が一段下がったように形成されている。
【００２７】
この垂直面３１ｄが形成されることで一段下がったように形成されている部分には、後側に鍔部３２が形成されている。この鍔部３２は、装飾枠３１の右側面から突出するように形成されている。なお、この鍔部３２の形状は任意に変更することが可能であり、本実施の形態のように、垂直面３１ｄが形成されている部分から突出させるところは直線状に、それ以外のところは曲線を描くように形成してもよいし、垂直部及びそれ以外のところも含めて全体的に鍔部３２の外周側が曲線を描くように形成してあってもよい。
【００２８】
また、鍔部３２には、下側に６個のリブ３９が形成されている。これらリブ３９は、後述する流下通路４１を流下する遊技球の流下速度を減速させるためのもので、鍔部３２の前面から前方向に突出するように形成されている。また、このリブ３９は、図４（ａ）に示すように、鍔部３２を正面から見た場合に、遊技球２００の流下方向Ａに対して垂直な方向となるように形成されている。さらに、このリブ３９は、図４（ｂ）に示すように、鍔部３２を上側（又は下側）から見た場合に、鍔部３２の前面からの突出高さが一定となるように形成されている。
【００２９】
装飾部材３３は、センター役物２１を装飾するためのもので、装飾枠３１の右側であって、かつ該装飾枠３１の前側において少なくとも鍔部３２と対向する位置に取付固定されている。この装飾部材３３は、ネジ穴を有するピン状の固定部４２に、鍔部３２に開口形成された貫通孔４３を介して装飾枠３１の後側からネジ止めすることで取付固定される。装飾部材３３には、下側に６個のリブ４０が形成されている。これらリブ４０は、後述する流下通路４１を流下する遊技球の流下速度を減速させるためのもので、装飾部材３３の後面から後方向に突出するように形成されている。また、このリブ４０は、鍔部３２に形成されているリブ３９と同様、装飾部材３３を後面から見た場合に、後述する流下通路４１を流下する遊技球２００の流下方向と直交する方向となるように形成されており、またこのリブ４０は、装飾部材３３を上側（又は下側）から見た場合に、装飾部材３３の後面からの突出高さが一定となるように形成されている。
【００３０】
装飾部材３３を取付固定した装飾枠３１を右側から見た側面図を図５に示す。図５に示すように、装飾枠３１の右側には、少なくとも装飾部材３３の後面と、装飾枠３１の右側面と、鍔部３２の前面とで囲まれた領域が形成される。この領域は、遊技球２００を遊技盤１２の右側の下流側へ案内するための流下通路４１として構成される。そして、図５に示すように、鍔部３２のリブ３９及び装飾部材３３のリブ４０は、流下通路４１の下流側に形成されている。そして、鍔部３２に形成されたリブ３９と装飾部材３３に形成されたリブ４０は、最上位に鍔部３２のリブ３９が位置し、その下に装飾部材３３のリブ４０が位置し、そのさらに下には鍔部３２のリブ３９が位置する、というように、装飾部材３３に形成されてリブ４０と鍔部３２に形成されたリブ３９とが交互に配置され、流下通路４１内を通過する遊技球２００が鍔部３２のリブ３９又は装飾部材３３のリブ４０のいずれかに衝突しやすくし、かつ遊技球２００が衝突する回数を増やすことができるように構成されている。
【００３１】
なお、本実施の形態に係る遊技機１では、鍔部３２と装飾部材３３に設けたリブの数を６個ずつとしたが、流下通路４１を通過した後の遊技球２００の流下速度を低減することが出来れば、リブの数は６個に限定されるものではない。また、本実施の形態では、鍔部３２と装飾部材３３に設けたリブの間隔も一定にしたが、この間隔は一定でなくてもよい。さらには、鍔部３２に設けたリブ３９と装飾部材３３に設けたリブ４０とを一つずつ交互に設けなくてもよく、例えば、装飾部材３３のある一つのリブとその隣の一つのリブとの間に、鍔部３２に形成した二つのリブが位置するように配置してもよいし、これ以外の組み合わせで配置してもよい。また、本実施の形態では、鍔部３２のリブと装飾部材３３のリブは、ともに遊技球２００の流下方向と垂直となる方向に延びるように形成しているが、上記の通り流下通路４１を流下する遊技球２００の流下速度を減少することが出来れば、その流下方向と垂直の方向でなくてもよい。さらに、本実施の形態では、鍔部３２の前面に対するリブ３９の突出高さ、及び装飾部材３３の後面に対するリブ４０の突出高さが一定となるように形成しているが、これも突出高さが一定であることに限定する趣旨ではなく、遊技球２００の流下速度を減少することができれば、リブの突出高さを任意に変更してもよい。
【００３２】
次に、第２の大入賞装置２２の構成について図６〜図１０に基づいて説明する。図６に示すように、第２の大入賞装置２２は、基板５１、前カバー部材５２、及び駆動機構５３を備えている。なお、図６の（ａ）図は、第２の大入賞装置２２を構成する第２の大入賞口５４が遊技領域１７を流下する遊技球２００を受け入れない閉位置に位置する状態を表し、（ｂ）図は、該第２の大入賞口５４が遊技領域１７を流下する遊技球２００を受け入れやすい開位置に位置する状態を表している。
【００３３】
基板５１は、第２の大入賞装置２２を遊技盤１２に取り付ける際の取付基板となるもので、本実施の形態では、遊技盤１２に取付固定するための取付孔５５が５カ所に設けられている。また、基板５１には、通過入賞口５６が一体的に形成されている。通過入賞口５６は、遊技球２００が通過可能な大きさに形成された入賞口であり、基板５１の後面側から通過入賞センサ５７が組み付けられている。この通過入賞センサ５７は、通過入賞口５６を遊技球２００が通過したことを検知するためのものであり、後面側の端部が基板５１にネジ止め固定される止めネジ５８で係止されて振動等によって脱落しないように構成されている。遊技機１は、遊技球２００が通過入賞口５６を通過したことを通過入賞センサ５７が検知すると、第２始動入賞口２６の開閉羽根２７を所定時間内に所定回数だけ開閉するように動作し、第２始動入賞口２６に遊技球２００が入賞する機会を遊技者に付与することができるように構成されている。なお、本実施の形態では、第２の大入賞装置２２に通過入賞口５６を設けているが、通過入賞口５６は第２の大入賞装置２２とは別個に設けてもよい。
【００３４】
また、基板５１には、第１の装飾部品取付部５９と、第２の装飾部品取付部６０とが開口形成されている。第１の装飾部品取付部５９は、第１の装飾部品６１が取り付けられるように構成されており、第１の装飾部品６１の複数の係合部６３のそれぞれに形成された爪状の係合片６４と第１の装飾部品取付部５９とが係合することによって、第１の装飾部品６１が取付固定されるようになっている。また、第２の装飾部品取付部６０は、第２の装飾部品６２が取り付けられるように構成されており、基板５１の後面側からネジ止め固定されるようになっている。なお、これら第１の装飾部品６１及び第２の装飾部品６２の取付固定の方法は上記した以外のものであってもよい。
【００３５】
さらに、基板５１には、後述する開閉部材８４の前後方向の移動を許容するための開閉部材挿通孔６５と、他の入賞口６６に入賞した遊技球２００を遊技盤１２の後面側へ誘導するための第１の誘導孔６７と、第２の大入賞口５４に入賞した遊技球２００を遊技盤１２の後面側へ誘導するための第２の誘導孔６８とが開口形成されている。開閉部材挿通孔６５は、横長の長孔と、この長孔の左右両端部から下方に開口形成する二つの縦孔とを組み合わせたコ字形に形成されている。この開閉部材挿通孔６５は、開閉部材８４が前後方向に進退可能な大きさに形成されている。
【００３６】
前カバー部材５２は、基板５１の前側に取付固定することができるように構成されている。この前カバー部材５２は、第１の転動路形成部６９、第２の転動路形成部７０、第１の誘導路７１、第２の誘導路７２、及び取付ピン７３とを備えている。また、本実施の形態における第２の大入賞口５４は、基板５１の前面と、該基板５１に取り付けられた前カバー部材５２の裏面と、第１の転動路形成部６９の左側面と、第２の転動路形成部７０の右側面とで囲まれて形成されている。
【００３７】
第１の転動路形成部６９及び第２の転動路形成部７０は、開閉部材８４が閉位置にある場合には、開閉部材８４の上面と併せて本発明に係る転動路を形成する。なお、この転動路は、全体として図６中のＡ方向に向けて下り傾斜するように形成されている。
【００３８】
第１の転動路形成部６９は、第２の大入賞装置２２を正面から見た場合における右側（すなわち、図７のように前カバー部材５２を裏面側から見た場合の左側）に配置されており、図６中のＡ方向に向けて下り傾斜するように形成されている。また、この第１の転動路形成部６９は、遊技球２００を確実に転動させることができる幅を有することが好ましく、少なくとも１個の遊技球２００の直径以上の幅を有することが好ましい。なお、第１の転動路形成部６９の下り傾斜の勾配は、図６中のＡ方向に向けて遊技球２００を確実に転動させることができればよく、任意に設定することができるものである。また、この勾配は、Ａ方向に向けて一定でなくてもよく、例えば第２の大入賞口５４が形成されている方向へ行くにつれて、緩やかな勾配となるように形成してもよい。
【００３９】
第２の転動路形成部７０は、第２の大入賞装置２２を正面から見た場合における左側（すなわち、図７のように前カバー部材５２を裏面側から見た場合の右側）に配置されている。この第２の転動路形成部７０も、第１の転動路形成部６９と同様、遊技球２００を確実に転動させることができる幅を有していることが好ましく、少なくとも１個の遊技球２００の直径以上の幅を有することが好ましい。なお、この幅は、上記した以上の幅を有するものであれば、第１の転動路形成部６９の幅と同じでもよいし、異なっていてもよい。
【００４０】
前カバー部材５２には、第１の転動路形成部６９の正面視左側端部から、第２の転動路形成部７０の正面視左側端部にかけて、脱落防止部７４が形成されている。脱落防止部７４は、遊技球２００が転道路上を転動する際に、途中で脱落するのを防止するためのもので、本実施の形態においては前側から後側に向けて下り傾斜する傾斜面として形成されている。なお、この脱落防止部７４は、転動路上を転動する遊技球２００の脱落を防止することが出来ればよく、その勾配は任意に決定してよい。また、脱落防止部７４は、傾斜面でなくてもよく、例えば任意の高さを有する壁状に形成してもよい。
【００４１】
図７に示すように、前カバー部材５２において、これら第１の転動路形成部６９と第２の転動路形成部７０の間には、第２の大入賞口５４から第２の誘導孔６８へ誘導する第１の誘導路７１が形成されている。この第１の誘導路７１は、上記した第１の転動路形成部６９及び第２の転動路形成部７０よりも低く落ち込むように形成されており、第２の大入賞装置２２が開状態の時には、第１の転動路形成部６９を転動した遊技球２００が確実に第１の誘導路７１へ誘導されるように構成されている。また、この第１の誘導路７１は、入賞した複数個の遊技球２００を誘導することが可能な大きさを有しており、第１の誘導路７１内において球詰まりの発生を防止することができるようになっている。第１の誘導路７１には、前カバー部材５２の裏面側に相当する場所に、該前カバー部材５２の裏面側からさらに後方向へ突出した突出部７１ａが図７中のＢ方向に延びるように形成されている。この突出部７１ａは、第１の誘導路７１内を転動する遊技球２００を第２の誘導孔６８へ誘導しやすくするためのもので、図７中のＢ方向へ行くにつれて、突出高さが高くなるように形成されている。なお、突出部７１ａの突出高さは、第１の誘導路７１内において全体的に変化するように形成してもよいし、第１の誘導路７１内において任意に決定した任意の場所までは高さを変えず、そして任意の場所から高さを変えるように形成してもよい。また、これら以外の構成であってもよい。
【００４２】
また、前カバー部材５２において、第２の転動路形成部７０の下方には、第２の誘導路７２が形成されている。この第２の誘導路７２は、図７の右側が開口形成して遊技球２００が入賞することが可能に形成されているとともに、この入賞した遊技球を後方向へ誘導するための誘導片７２ａが左側端部に形成されている。誘導片７２ａは、他の入賞口６６に入賞して第２の誘導路７２内を誘導されている遊技球２００を第２の誘導孔６８内に向けてスムーズに誘導することができるように構成されている。
【００４３】
なお、図７及び図８において、符号７５で示した部材は、基板５１において第１の装飾部品６１が設けられている箇所の裏側に取り付けられるカバー部材である。また、図８における符号７６は、他の入賞口６６に入賞し、第２の誘導孔６８を通過した遊技球２００を所定の場所へ案内する案内部材である。また、図８における符号７７は第２の大入賞口へ遊技球が入賞したことを検知するための検知センサである。さらに、図７及び図８における符号７７は、後述する第１ケース部材８７及び第２ケース部材８８に対して組み付けられるカバー部材である。このカバー部材７７は、組み付けられると開閉部材８４の上方に位置し、該開閉部材８４の上面を覆うように配置される。
【００４４】
開閉部材８４は、後述する駆動機構５２を構成するプランジャ８２の駆動により、開位置と閉位置との間で前後方向にスライド移動するように構成されている。また、開閉部材８４は、略Ｌ字形に形成されており、前側に形成されたシャッター部８４ａの左右方向の幅が、該シャッター部８４ａの後側に形成された従動部８４ｂの左右方向の幅よりも広くなるように形成されている。シャッター部８４ａは、前後方向の幅が第１の転動路形成部６９及び第２の転動路形成部７０と同じ幅となるように形成されており、該シャッター部８４ａが前方向に進出した位置に位置する場合には、開閉部材８４が第２の大入賞口５４を覆うことができるように構成されている。このとき、シャッター部８４ａは、上記した第１の転動路形成部６９及び第２の転動路形成部７０とともに、本発明に係る転動路を形成する。
【００４５】
また、シャッター部８４ａには、正面視右側に、上方向及び下方向に突出する突起部８４ｃが形成され、正面視左側に、下方向に突出する突起部８４ｄが形成されている。これら下方向に突出する突起部８４ｃ，８４ｄは、開閉部材挿通孔６５において下方向に向けて開口形成されている箇所に位置するように構成されており、開閉部材８４が進退する時のガイド部としての機能を有するものである。シャッター部８４ａの後方には、上方向に突出する突出部８４ｅが形成されている。この突出部８４ｅは、シャッター部８４ａが前方向に進出した際、基板５１の裏面に当接し、シャッター部８４ａが進出し出すのを防止するためのものである。
【００４６】
従動部８４ｂは、シャッター部８４ａよりも幅が狭くなるように形成されており、その右側には、開閉部材８４が後方向に退避した位置に位置する時に、ソレノイド８１と干渉しないようにするための空間が形成されている。従動部８４ｂには５個の孔が開口形成されており、このうちの一つは、後述する第２作動部材８６を構成する連結片９７と連結する連結孔８４ｆとして構成されている。連結孔８４ｆは、連結片９７が挿入可能な大きさに形成されると共に、該連結孔８４ｆが形成されている周囲の側壁が下方に延出しており、連結片９７と連結孔８４ｆとの連結が解除されないように構成されている。
【００４７】
駆動機構５３は、駆動源としてのソレノイド８１、プランジャ８２、付勢手段としての圧縮コイルバネ８３、開閉部材８４、第１作動部材８５、第２作動部材８６、第１ケース部材８７及び第２ケース部材８８を備えている。また、第１作動部材８５及び第２作動部材８６は、これら第１作動部材８５と第２作動部材８６の動きを規制するためのロック部８９を有している。また、第１作動部材８５及び第２作動部材８６は、ロック部８９におけるロックを解除する解除手段としての解除部９０も有している。
【００４８】
ソレノイド８１は、円筒状のコイルと、Ｕ字状に湾曲形成されたＵ字鉄板と、Ｕ字鉄板の先端に差し渡して配置される矩形鉄板とを備え、コイルの周囲をＵ字鉄板と矩形鉄板とで囲むことによって環状の磁路を形成する環状の磁路を形成するように構成されている。また、ソレノイド８１には、内側にプランジャ８２を挿入するための貫通孔（図示せず）が設けられている。この貫通孔は、コイルと矩形鉄板に開口形成されており、上記したように、コイル、矩形鉄板及びＵ字鉄板を組み合わせた時に、コイルの貫通孔と矩形鉄板の貫通孔とが同軸上に位置するように形成されている。
【００４９】
プランジャ８２は、横断面が円形の棒状の部材で、先端には、側方に張り出すフランジ８２ａが形成されている。また、プランジャ８２の外側には、圧縮コイルバネ８３と樹脂製のワッシャー部材９１が挿通されている。圧縮コイルバネ８３は、プランジャ８２を貫通孔に挿入した時には、ワッシャー部材９１と矩形鉄板との間で挟まれるように位置し、ワッシャー部材９１は、フランジ８２ａと圧縮コイルバネ８３との間で挟まれるように位置している。そして、ソレノイド８１が励磁されると、プランジャ８２がソレノイド８１の貫通孔内に引き込まれて、それと同時に圧縮コイルバネ８３が圧縮変形する。また、この状態でソレノイド８１の励磁が停止されると、圧縮コイルバネ８３がプランジャ８２を付勢し、該プランジャ８２を突き出す位置に移動させる。すなわち、ソレノイド８１は、プランジャ８２を突き出す位置と引き込む位置との間で、プランジャ８２を直線的に移動させることができるように構成されており、圧縮コイルバネ８３は、プランジャ８２を突き出す位置に付勢するように構成されている。
【００５０】
また、本実施の形態においては、プランジャ８２が上下方向に移動するようにソレノイド８１が配置されている。そのため、ソレノイド８１の励磁が停止されると、上記した圧縮コイルバネ８３による付勢に加えて、重力の作用によってもプランジャ８２を突き出す位置に移動させることができるようになっている。
【００５１】
第１作動部材８５は、係止部９２、切り欠き部９３、ロック部８９を構成する第１ロック部９４、及び解除手段としての解除部９０を備えている。係止部９２は、第１作動部材８５を正面から見た場合における右側に形成されており、平板部９２ａ、右側壁部９２ｂ、左側壁部９２ｃ、右側係止突条９２ｄ、及び左側係止突条９２ｅから構成されている。平板部９２ａは、プランジャ８２の先端に形成されたフランジ８２ａと平行となるように形成されており、この平板部９２ａの上に右側壁部９２ｂ及び左側壁部９２ｃが形成されている。右側壁部９２ｂは、第１作動部材８５の右端において、前側から後側に向けて直線状に延びるとともに任意に定められた所定の位置から左側に向けて曲線を描くように形成されている。左側壁部９２ｃは、係止部９２の左端側において、前側から後側に向けて直線状に形成されている。なお、左側壁部９２ｃの後方には、後述する切欠き部が形成されている。右側係止突条９２ｄは、右側壁部９２ｂから内側に突出する突条であり、左側係止突条９２ｅは、左側壁部９２ｃから内側に突出する突条である。
【００５２】
係止部９２は、平板部９２ａと右側係止突条９２ｄとの間、及び平板部９２ａと左側係止突条９２ｅとの間に上下方向の隙間が形成されており、この隙間にプランジャ８２のフランジ８２ａが嵌合されるように構成されている。また、係止部９２は、左側係止突条９２ｅの内周側端部と右側係止突条９２ｄの内周側端部との間に左右方向の隙間が形成されており、この隙間にプランジャ８２の先端が配置されるように構成されている。係止部９２は、このようにプランジャ８２が配置されると、プランジャ８２が上方向に移動しようとすると、フランジ８２ａの上面と右側係止突条９２ｄ及び左側係止突条９２ｅの下面とが当接して第１作動部材８５が連動して上方向に移動するようになる。また、プランジャ８２が下方向に移動しようとすると、フランジ８２ａの下面と平板部９２ａとが当接して、第１作動部材８５が連動して下方向に移動するようになる。
【００５３】
切欠き部９３は、左側壁部９２ｃの後側に設けられている。この切欠き部９３は、上記した隙間に挿入されたプランジャ８２のフランジ８２ａを部分的に露出させるために形成されている。なお、フランジ８２ａを部分的に露出させるのは、図９（ｂ）に示すように、後述する第２作動部材８６の第３ロック部としてのロックピン９６ａ，９６ｂ同士の間にフランジ８２ａを配置し、ワッシャー部材９１を介して、圧縮コイルバネ８３によってプランジャ８２を突き出す位置に向けてロックピン９６ａ，９６ｂを付勢するためである。
【００５４】
第１ロック部９４は、第１作動部材８５の後方に突出するように形成された突出片として形成されている。この第１ロック部９４の後端面９４ａは、後述する第２作動部材８６の第２ロック部９５の前端面９５ａと当接するように形成されており、これら第１ロック部９４の後端面９４ａと第２ロック部９５の前端面９５ａとの当接によって、第１作動部材８５及び第２作動部材８６とがロックされるようになっている。また、第１ロック部９４が第１作動部材８５の後方に突出形成されることで、第１ロック部９４の上方には、第１逃げ部としての第１空間部８５ａが形成されている。この第１空間部８５ａは、ソレノイド８１の駆動又は解除部９０の操作によって第１作動部材８５と第２作動部材８６とに形成されたロック部でのロックが解除されたときに第２ロック部９５が第１作動部材８５に当って互いが干渉するのを防止し、ロックが解除された場合にスムーズに動作することが出来るようにするためのものである。
【００５５】
解除部９０は、本発明における解除手段としての機能を有するもので、第１作動部材８５において後方へ突出した後に下方へ折れ曲がって突出する略Ｌ字形に形成されている。この解除部９０は、ソレノイド８１の駆動による力以外の外力を作用させることにより、第１作動部材８５を第２作動部材８６に対して上方向に移動させ、第１作動部材８５と第２作動部材８６とのロックを解除することができるように構成されている。
【００５６】
第２作動部材８６は、第１作動部材８５の上下方向の移動を前後方向の移動に変えて、開閉部材８４を開位置と閉位置との間でスライド移動させることができるように構成されており、第２ロック部９５、第３ロック部を構成するロックピン９６ａ，９６ｂ、連結片９７、及び回動ピン９８を挿通するための挿通孔９９を備えている。なお、本実施の形態では、第２作動部材８６は、回動ピン９８を挿通孔９９に挿通させる構成としているが、ピンを一体成型してもよい。
【００５７】
第２ロック部９５は、本発明におけるロック部を構成するもので、プランジャ８２が突き出す位置に位置する時に、第１ロック部９４と係合するように構成されている。この第２ロック部９５は、第２作動部材８６の下部に形成されており、下方に延出しつつ、かつ前方にも延出するように形成されている。また、前方に延出した部分の前端面９５ａは、第１作動部材８５に形成された第１ロック部９４の後端面９４ａと当接する面である。上記した通り、これら前端面９５ａと後端面９４ａとが当接することにより、第１作動部材８５及び第２作動部材８６がロックされるように構成されている。また、第２ロック部９５の下端部が前方へ延出するように形成されていることで、該下端部よりも上方には、第２逃げ部としての第２空間部８６ａが形成される。この第２空間部８６ａは、ソレノイド８１の駆動又は解除部９０の操作によって第１作動部材８５と第２作動部材８６とのロックが解除されたときに、第１ロック部９４が第２作動部材８６に当って互いが干渉するのを防止し、ロックが解除された場合にスムーズに動作することが出来るようするためのものである。
【００５８】
第３ロック部を構成するロックピン９６ａ，９６ｂは、所定間隔をあけて上下に平行に配列されている。ロックピン９６ａ，９６ｂは、上記した第１ロック部９４と第２ロック部９５とによるロックをさらにより強固なものとするために設けられており、ワッシャー部材９１を介して、圧縮コイルバネ８３の作用、及び重力の作用によって、プランジャ８２を引き込む位置から突き出す位置へ移動する方向と同じ方向の外力がロックピン９６ａ，９６ｂに作用し、ロックが維持されるように構成されている。連結片９７は、上方へ延出形成されており、上端部が開閉部材８４の従動部８４ｂに形成されている連結孔８４ｆ内に挿入することができるように形成されている。なお、本実施の形態では、連結片９７の形状は先端部を他の部分よりも大きく形成することとしているが、先端部を他の部分と同程度の大きさにしてもよい。また、形状も任意に選択して適宜変更してよい。
【００５９】
第１ケース部材８７及び第２ケース部材８８は、上記したプランジャ８２、ワッシャー部材９１及び圧縮コイルバネ８３を組み付けたソレノイド８１、開閉部材８４、第１作動部材８５、並びに第２作動部材８６を組み付けて、本実施の形態に係る駆動機構５３として機能させるためのものである。これら第１ケース部材８７及び第２ケース部材８８は、例えば樹脂材料を用いて成形されており、上記した各部材が適切な位置に配置されるような形で形成されている。
【００６０】
第１ケース部材８７には、プランジャ８２、ワッシャー部材９１及び圧縮コイルバネ８３が組み付けられたソレノイド８１が、プランジャ８２先端のフランジ８２ａに第１作動部材８５を装着した状態で第１ケース部材８７に組み付けられる。このとき、ソレノイド８１は、プランジャ８２が挿入されている方を下向きとし、プランジャ８２が上下方向に移動するように配置される。
【００６１】
また、第１ケース部材８７及び第２ケース部材８８には、回動ピン９８の先端を差し込むことができる差し込み穴が形成されており、第２作動部材８６は、挿通孔９９に回動ピン９８を挿通させた状態で、該回動ピン９８の両端が第１ケース部材８７及び第２ケース部材８８に支持されて、回動ピン９８を中心に回動することができるように配置される。また、第２作動部材８６は、第１ケース部材８７及び第２ケース部材８８内においては、ロックピン９６ａ，９６ｂのうち、上側のピン９６ａはワッシャー部材９１とフランジ８２ａとの間に配置され、下側のピンはフランジ８２ａの下方に配置される。言い換えると、フランジ８２ａは、上側のピン９６ａと下側のピン９６ｂの間に挟まれる状態で配置される。また、第１作動部材８５の第１ロック部９４と第２作動部材８６の第２ロック部９５とは、互いに対向するように配置される。
【００６２】
次に、上記の通り配置した駆動機構の動作について、図１１〜図１３に基づいて説明する。図１１は、開閉部材８４が閉位置に位置する時の第１作動部材８５と第２作動部材８６の位置関係を示し、図１２は、ソレノイド８１が作動するか、又は解除部９１が操作されて開閉部材８４が閉位置から開位置へ移動している時の第１作動部材８５と第２作動部材８６の位置関係を示し、図１３は、開閉部材８４が開位置に位置する時の第１作動部材８５と第２作動部材８６の位置関係を示した図である。また、図１１〜図１３において、（ａ）図では、第１ロック部９４と第２ロック部９５との位置関係を表し、（ｂ）図では、第３ロック部とワッシャー部材９１及びフランジ８２ａとの位置関係を表し、（ｃ）図では、第１作動部材と第２作動部材を正面から場合であって、ロックピン９６ａ，９６ｂとワッシャー部材９１との位置関係を表している。
【００６３】
図１１（ａ）に示すように、開閉部材８４が閉位置に位置する時は、第１作動部材８５に形成された第１ロック部９４の後端面９４ａと第２作動部材８６に形成された第２ロック部９５の前端面９５ａは、互いに近接して対向配置されている。また、図１１（ｂ）、（ｃ）に示すように、ロックピン９６ａ，９６ｂとフランジ８２ａとの関係は、ロックピン９６ｂとフランジ８２ａが当接し、さらにロックピン９６ａはワッシャー部材９１を介して圧縮コイルバネ８３によって図中Ａ方向へ付勢されている。第２の大入賞装置は、通常は開閉部材８４が閉状態を維持しているので、抽選に当選する等の何らかの契機がない限り、第２の大入賞装置は上記した状態が保持される。
【００６４】
ここで、抽選に当選して第２の大入賞口を開放する場合には、ソレノイド８１が駆動し、プランジャを突き出す位置から引き込む位置まで移動させる。図１２に示すように、プランジャがＢ方向へ移動すると、連動して第１作動部材８５もＢ方向へ移動する。そのため、図１１（ａ）においては対向していた第１ロック部９４の後端面９４ａと第２ロック部９５の前端面９５ａとが、図１２（ａ）では対向せず、第１ロック部９４の後端面９４ａは第２ロック部９５の上方に形成された第２空間部８６ａに臨む位置に位置し、第２ロック部９５の前端面９５ａは第１ロック部９４の上方に形成された第１空間部８５ａに臨む位置に位置し、これら第１ロック部９４と第２ロック部９５の係合が解除される。また、第１作動部材８５の上端面と第２作動部材８６の下端面とは互いに当接し合う。さらに、図１２（ｂ）、（ｃ）に示すように、ロックピン９６ａはワッシャー部材９１の下面との当接が解除されて圧縮コイルバネ８３によるロックピン９６ａへの付勢が解除される。さらに、ロックピン９６ａは、フランジ８２ａの上面と当接し、ロックピン９６ａに対して上向きの力が作用する。
【００６５】
図１３に示すように、プランジャ８２がさらに上方へ移動し、それに連動して第１作動部材８５が上方へ移動すると、第２作動部材８６は、回動ピン９６を回動軸として、図１３中のＣ方向に回動を開始する。第２作動部材８６が回動すると、該第２作動部材８６の連結片９７も併せて回動し、それに伴って開閉部材８４がＤ方向へ移動する。すなわち、第２作動部材８６は、回動ピン９６を回動軸として回動することによって、開閉部材８４を閉位置から開位置まで移動させる。このとき、第１作動部材８５には第１空間部８５ａが形成されており、同様に第２作動部材８６にも第２空間部８６ａが形成されているので、第２作動部材８６が回動しても、第１作動部材８５が該回動動作を干渉することがなく、スムーズに第２作動部材８６を回動させることが可能になる。
【００６６】
次に、本実施の形態に係る第２の大入賞装置に対して、いわゆるゴト行為と呼ばれる不成功が行われた場合の動作について説明する。通常、ゴト行為が行われるのは、第２の大入賞装置の開閉部材８４が閉状態の場合であるから、この説明は図１１に基づいて行う。ゴト行為で行われる一例としては、針金等を遊技機１の内部に挿入して、開閉部材８４を閉状態から強引に開状態にするという行為がある。このような行為が行われた場合には、本実施の形態に係る遊技機１が備える第２の大入賞装置２２は、ソレノイド８１は駆動していないので、プランジャ８２及び第１作動部材８５は図１１（ａ）に示す位置に保持されている。このような状態の時にゴト行為を行って図１１（ａ）中のＥ方向へ開閉部材８４が移動させようとすると、第２作動部材８６は回動ピン９６を中心に回動しようとして、第２ロック部９５をＦ方向へ回動させようとする。しかし、第２ロック部９５の前端面９５ａは第１ロック部９４の後端面９４ａと近接した位置で対向しているので、第２作動部材８６がＦ方向に回動しようとすると、第２ロック部９５の前端面９５ａが第１ロック部９４の後端面９４ａと当接し、第２作動部材８６のそれ以上の回動を規制するように作用する。つまり、ソレノイド８１が作動していない時に開閉部材８４を強引に開位置へ移動させようとしても、第１ロック部９４と第２ロック部９５とが強固に当接し合うために、開閉部材８４を不正に閉位置から開位置へ移動させることが不可能になる。
【００６７】
このように、本実施の形態に係る遊技機によれば、抽選に当選した場合などのように、遊技機１において予め定められた条件が成立した場合には、第２の大入賞装置の開閉部材をスムーズに開閉させることができ、かつ、ゴト行為が行われそうになった場合には、強固に不正行為が行われるのを防止することが可能になる。
【００６８】
次に、遊技盤における各種入賞装置の配置について図１３に基づいて説明する。上記した通り、本実施の形態の遊技機１では、遊技領域１７に、第２の入賞装置としての始動入賞装置１９、第１の大入賞装置２０、第３の入賞装置を構成する通過入賞口５６及び第１の入賞装置としての第２の大入賞装置２２等の各種入賞装置が配置されている。また、第２の大入賞装置２２は、開閉部材８４が閉位置に位置する場合には、第１の転動路形成部６９及び第２の転動路形成部７０と共に、転動路を形成する。また、図１４に示すように、第２の大入賞装置２２は、始動入賞装置１９に設けられている第２始動入賞口２６よりも上に位置するとともに、始動入賞装置１９と隣接するように配置され、転動路を転動した遊技球が第２始動入賞口２６へ入賞しやすい位置に配置されている。また、これら第２の大入賞装置２２と始動入賞装置１９の間には第３の入賞装置としての通過入賞口５６が設けられている。通過入賞口５６は、第２の大入賞口５４及び第２の始動入賞口２６のいずれよりも下に位置するように配置されている。
【００６９】
したがって、本実施の形態に係る遊技機によれば、流下通路から流下した遊技球が第２始動入賞口又は通過入賞口のいずれかに入賞する可能性を付加することができ、いわゆる大当り状態で第２の大入賞口が開いている時のみならず、第２の大入賞口が閉じている時であっても、右打ちの遊技を行う遊技者に対して、大当り状態へ移行するチャンスを獲得できるかもしれないという期待感を持たせながら遊技を行わせることが可能になる。また、近年は、遊技機の演出が多様になっており、センター役物が大型化している。そのため、遊技領域において、センター役物以外の装置を配置するためのスペースや、誘導釘を打つスペースが極端に減少しており、遊技球の流下する態様が単調になりがちであったが、本実施の形態に係る遊技機によれば、第２の大入賞装置に転動路を形成し、転動路上を遊技球が転動できるように構成しているので、少ないスペースを有効に活用して、遊技球の流下する態様に変化を持たせるとともに、遊技者に期待感を持たせ、遊技に対する興趣をより向上させることも可能になる。
【００７０】
また、本実施の形態に係る遊技機によれば、センター役物の外周に流下通路を形成し、この流下通路に複数のリブを設けたので、比較的速い速度で弾発される遊技球を流下通路内を通過する際に減速させることができ、該流下通路を通過した後に遊技球と衝突する誘導釘や第２の大入賞装置等の各種入賞装置に対する衝撃力を緩和することが可能になる。そのため、これら各種入賞装置等の破損を防止し、耐久性を大幅に向上させることが可能になる。また、破損を防止することで交換頻度も低減させることができるので、部品の交換に伴うコストも低減することが可能になる。
【００７１】
また、本実施の形態に係る遊技機によれば、センター役物を構成する鍔部と装飾部材にのみリブを形成しているので、コーナー飾り等の部品を共通化することができ、汎用性を有する他の部品は他の機種の遊技機に流用することが可能になる。そのため、新たに製造する部品の点数を減少することが出来、製造コストも大幅に低減することが可能になる。
【００７２】
以上、本発明の具体的な態様について説明したが、本発明は本実施の形態の態様の構成に限定されるものではなく、本発明の趣旨を逸脱しない範囲で、適宜変更することが可能である。
【符号の説明】
【００７３】
１      遊技機
１２    遊技盤
１５    コーナー飾り
１６    案内路
１７    遊技領域
１９    始動入賞装置
２１    センター役物
２２    第２の大入賞装置
２５    第１始動入賞口
２６    第２始動入賞口
３１    装飾枠
３１ａ，３１ｂ    案内面
３１ｃ，３１ｅ    傾斜面
３１ｄ    垂直面
３２    鍔部
３３    装飾部材
３９，４０    リブ
４１    流下通路
５１    基板
５２    前カバー部材
５３    駆動機構
５４    第２の大入賞口
５６    通過入賞口
８１    ソレノイド
８２    プランジャ
８２ａ    フランジ
８３    圧縮コイルバネ
８４    開閉部材
８５    第１作動部材
８６    第２作動部材
８９    ロック部
９０    解除部
９１    ワッシャー部材
９４    第１ロック部
９５    第２ロック部
９６ａ，９６ｂ    ロックピン
９７    連結片
９８    ピン
【図１】
0005978359.tif 000002
【図２】
0005978359.tif 000003
【図３】
0005978359.tif 000004
【図４】
0005978359.tif 000005
【図５】
0005978359.tif 000006
【図６】
0005978359.tif 000007
【図７】
0005978359.tif 000008
【図８】
0005978359.tif 000009
【図９】
0005978359.tif 000010
【図１０】
0005978359.tif 000011
【図１１】
0005978359.tif 000012
【図１２】
0005978359.tif 000013
【図１３】
0005978359.tif 000014
【図１４】
0005978359.tif 000015